(57)【要約】【課題】物質間の物理的・化学的相互作用の変化により吸収スペクトルの波長変化やバックグラウンドの変化が起こっても精度の高い測定ができるようにする。【解決手段】光源２より出射された光は、試料２を透過した後、結像光学系３で薄膜干渉フィルタ４上に結像され、薄膜干渉フィルタ４上に設置された光検出器５により検出される。光検出器５の出力信号はデータ処理装置６に入力され、ここでデータ処理される。薄膜干渉フィルタ４は、光の入射角を変化させて透過中心波長を調整できるように回転可能に設置されており、試料２の吸収ピーク波長に合わせるように調整される。【選択図】図２
2008003045.tif 000002
【特許請求の範囲】
【請求項１】
光源と、該光源の出射光が照射される試薬が搭載された試薬キャリアを保持するキャリアホルダーと、前記試薬を透過または反射した光が入射される薄膜干渉フィルタと、前記薄膜干渉フィルタを透過した光を検出する光検出器と、前記光検出器の出力を処理する信号処理手段と、前記薄膜干渉フィルタに入射する光の入射角を可変するための、前記薄膜干渉フィルタを回転させる回転機構と、を備えたスペクトル測定装置。
【請求項２】
光源と、該光源の出射光が入射される薄膜干渉フィルタと、前記薄膜干渉フィルタの透過光が照射される、試薬が搭載された試薬キャリアを保持するキャリアホルダーと、前記試薬を透過または反射した光を検出する光検出器と、前記光検出器の出力を処理する信号処理手段と、前記薄膜干渉フィルタに入射する光の入射角を可変するための、前記薄膜干渉フィルタを回転させる回転機構と、を備えたスペクトル測定装置。
【請求項３】
光源と、該光源の出射光が照射される試薬が搭載された試薬キャリアを保持するキャリアホルダーと、前記試薬を透過または反射した光が入射される複数の薄膜干渉フィルタと、各薄膜干渉フィルタ毎に備えられた、各薄膜干渉フィルタを透過した光を検出する光検出器と、前記光検出器の出力を処理する信号処理手段と、を備え、前記複数の薄膜干渉フィルタは入射する光の入射角が互いに異なるように互いに異なる角度に傾けられて設置されており、いずれかの薄膜干渉フィルタと光検出器の組を選択して使用することが可能であることを特徴とするスペクトル測定装置。
【請求項４】
光源と、該光源の出射光が入射される複数の薄膜干渉フィルタと、前記薄膜干渉フィルタの透過光が照射される、試薬が搭載された試薬キャリアを保持するキャリアホルダーと、前記試薬を透過または反射した光を検出する光検出器と、前記光検出器の出力を処理する信号処理手段と、を備え、前記複数の薄膜干渉フィルタは入射する光の入射角が互いに異なるように互いに異なる角度に傾けられて設置されており、いずれかの薄膜干渉フィルタを選択して使用することが可能であることを特徴とするスペクトル測定装置。
【請求項５】
前記光検出器が、ライン状に光情報を検出可能なリニアセンサであることを特徴とする請求項１から４のいずれかに記載のスペクトル測定装置。
【請求項６】
前記キャリアホルダーは、前記試薬キャリアをそのキャリアの主面に平行に移動させるように、１次元ないし２次元方向に移動可能であることを特徴とする請求項１から５のいずれかに記載のスペクトル測定装置。
【請求項７】
前記光検出器の検出値に基づいて前記薄膜干渉フィルタの角度を制御する機構または前記複数の薄膜干渉フィルタの中からいずれかの薄膜干渉フィルタを選択する機構が備えられていることを特徴とする請求項１から６のいずれかに記載のスペクトル測定装置。
【請求項８】
前記試薬を透過または反射した光のスペクトルのピーク（負側にピークである場合を含む）となる波長と、前記薄膜干渉フィルタの透過光の中心波長が近づくように、前記薄膜干渉フィルタの角度を制御するか薄膜干渉フィルタを選択することを特徴とする請求項７に記載のスペクトル測定装置。
【請求項９】
試薬キャリアに搭載された試薬に光を照射し、その透過光または反射光を薄膜干渉フィルタを介して光検出器により検出するスペクトル測定方法であって、前記試薬を透過または反射した光のスペクトルのピーク（負側にピークである場合を含む）となる波長と、前記薄膜干渉フィルタの透過光の中心波長が一致するように前記薄膜干渉フィルタへの光入射角度を制御することを特徴とするスペクトル測定方法。
【請求項１０】
試薬キャリアに搭載された試薬に、薄膜干渉フィルタを介して光を照射し、その透過光または反射光を、光検出器により検出するスペクトル測定方法であって、前記試薬を透過または反射した光のスペクトルのピーク（負側にピークである場合を含む）となる波長と、前記薄膜干渉フィルタの透過光の中心波長が一致するように前記薄膜干渉フィルタへの光入射角度を制御することを特徴とするスペクトル測定方法。
【請求項１１】
前記薄膜干渉フィルタへの光入射角度の制御が自動的に行われることを特徴とする請求項９または１０に記載のスペクトル測定方法。
【請求項１２】
前記薄膜干渉フィルタへの光入射角度の制御は、前記薄膜干渉フィルタを回転させることによって行われることを特徴とする請求項９から１１のいずれかに記載のスペクトル測定方法。
【請求項１３】
前記薄膜干渉フィルタへの光入射角度の制御は、傾き角が異なって設けられた複数の薄膜干渉フィルタの中からいずれか一つを選択することによって行われることを特徴とする請求項９から１１のいずれかに記載のスペクトル測定方法。
【請求項１４】
試薬での吸光度を無視できる波長において測定を行い、そこで得られた測定値によって、前記薄膜干渉フィルタの透過光の中心波長を前記試薬の透過または反射光のスペクトルのピーク波長と一致ないし概略一致させた測定値を補正することを特徴とする請求項９から１３のいずれかに記載のスペクトル測定方法。
【発明の詳細な説明】
【技術分野】
【０００１】
本発明は、スペクトル測定装置およびスペクトル測定方法に関し、特に透過中心波長を可変としたフィルタを用いて試料の化学的変化を光学的に検出するスペクトル測定装置およびスペクトル測定方法に関するものである。
【背景技術】
【０００２】
物質間の物理的・化学的相互作用により生じる変化を、物質の吸収（発光）スペクトルを利用して検出する方法は、微量物質の高感度検出などに広く用いられている（例えば、非特許文献１参照）。吸収（発光）スペクトルを測定しその変化を検出する方法として、プリズムや回折格子などの波長分散素子を用いる方法や、バンドパスフィルタ（Band Pass Filter; BPFと略す）などの波長選択素子を用いる方法などがある。プリズムや回折格子などの波長分散素子を用いる方法に比較し、BPFなどの波長選択素子を用いる方法は、透過光や発光の光路に関する制限がゆるく、１次元や２次元光検出器を用いて、多くの試料の同時検出や試料内部の差などを検出する能力に優れている。
【０００３】
図１７は、特許文献１にて開示された、波長選択素子を用いて微量物質の検出を行う蒸気暴露装置１０の概略図である。図１７に示すように、センサプレート１１上には試薬である複数種の金属ポルフィリン(metalloporphyrin)１２がマトリックス状に配置されている。そのセンサプレート１１は、透明窓１３を有する反応セル１４内に収容されており、そして通常のカラーフィルタが装着されたスキャナ１５により走査される。被検出微量物質を含む溶液１６は、バブラー１７内に収められている。検出に当たってまず窒素のみが給気管１８を介して反応セル１４に供給される。そしてそのときの光学情報（ＲＧＢ値）がスキャナ１５を介して測定される。その後、窒素が給気管１９を介してバブラー１７に供給され、バブラー１７より出力される飽和蒸気は給気管２０を介して反応セル１４に供給される。反応後の試薬（金属ポルフィリン１２）の光学情報がスキャナ１５を介して測定され、そして反応後のＲＧＢ値から反応前のＲＧＢ値が減算され、微量物質種とその濃度が推測される。反応セル１４に供給されたガスは、排気管２１より排気される。
【０００４】
上記した従来の検出装置では、分光のためにカラー映像を取得する目的などに用いられる可視領域を三原色に分解するＢＰＦが採用されている。図１８は、ＲＧＢカラーフィルタの光透過特性を示す特性図である。図において、点線は比視感度特性を補正したものである。一般にこの種カラーフィルタの半値幅は５０ｎｍ程度である。通常、カラーフィルタは、ガラスなどの透明な媒体に光吸収物質を分散し、その物質の吸収特性を利用して選択的透過光領域を決めている。このため、透過光の中心波長は固定となっている。
【非特許文献１】N.A.Rakow et al. 「Molecular Recognition and Discrimination of Amines with a Colorimetric Array」 Angew. Chem., 2005, 44, pp.4528-4532
【特許文献１】米国特許第6,368,558号明細書
【発明の開示】
【発明が解決しようとする課題】
【０００５】
上述した従来の測定装置では、透過光の中心波長が固定でかつ半値幅が広いＢＰＦを用いて光検出を行っていたため、物質間の物理的・化学的相互作用の変化により吸収スペクトルの強度変化に波長変化がつけ加わる場合には、定性的な測定しかできず、さらには誤った結果を与える場合もある。また、相互作用を発生するための操作によりバックグラウンドの変化が変化する場合には、透過光の中心波長が固定したＢＰＦを用いた場合、注目しているスペクトルの変化とバックグラウンドによる変化を区別することは困難となる。一方、波長分散素子を用いて測定を行なう場合にはこれらの不都合を解消することができるが、装置が複雑になる上に測定に多大の時間を要する。
本発明の課題は、上述した従来技術の問題点を解決することであって、その目的は、物質間の物理的・化学的相互作用の変化により吸収スペクトルの波長やバックグラウンドが変化する場合であっても比較的簡素な装置で容易に精度よく定量的測定ができるようにすることである。
【課題を解決するための手段】
【０００６】
上記の目的を達成するため、本発明によれば、光源と、該光源の出射光が照射される試薬が搭載された試薬キャリアを保持するキャリアホルダーと、前記試薬を透過または反射した光が入射される薄膜干渉フィルタと、前記薄膜干渉フィルタを透過した光を検出する光検出器と、前記光検出器の出力を処理する信号処理手段と、前記薄膜干渉フィルタに入射する光の入射角を可変するための、前記薄膜干渉フィルタを回転させる回転機構と、を備えたスペクトル測定装置、が提供される。
【０００７】
また、上記の目的を達成するため、本発明によれば、光源と、該光源の出射光が入射される薄膜干渉フィルタと、前記薄膜干渉フィルタの透過光が照射される、試薬が搭載された試薬キャリアを保持するキャリアホルダーと、前記試薬を透過または反射した光を検出する光検出器と、前記光検出器の出力を処理する信号処理手段と、前記薄膜干渉フィルタに入射する光の入射角を可変するための、前記薄膜干渉フィルタを回転させる回転機構と、を備えたスペクトル測定装置、が提供される。
【０００８】
また、上記の目的を達成するため、本発明によれば、試薬キャリアに搭載された試薬に光を照射し、その透過光または反射光を薄膜干渉フィルタを介して光検出器により検出するスペクトル測定方法であって、前記試薬を透過または反射した光のスペクトルのピークとなる波長と、前記薄膜干渉フィルタの透過光の中心波長が一致するように前記薄膜干渉フィルタへの光入射角度を制御することを特徴とするスペクトル測定方法、が提供される。
【０００９】
また、上記の目的を達成するため、本発明によれば、試薬キャリアに搭載された試薬に薄膜干渉フィルタを介して光を照射し、その透過光または反射光を、光検出器により検出するスペクトル測定方法であって、前記試薬を透過または反射した光のスペクトルのピークとなる波長と、前記薄膜干渉フィルタの透過光の中心波長が一致するように前記薄膜干渉フィルタへの光入射角度を制御することを特徴とするスペクトル測定方法、が提供される。
【発明の効果】
【００１０】
本発明においては、半値幅がRGBカラーフィルタよりも狭く、光の入射角を変更することによって透過光ピークの波長を可変できる薄膜干渉フィルタ（Thin-Film Interference Filter;以下、適宜ＴＦＩＦと略す）を用い、そして試料の吸収ピークないし発光ピークの波長にＴＦＩＦ透過光ピークの波長を合わせて分光を行うので、物質間の物理的・化学的相互作用の変化により吸収スペクトルの波長やバックグラウンドが変化しても容易に精度よく測定することが可能になる。
【発明を実施するための最良の形態】
【００１１】
以下、吸収スペクトル変化が起こる試料を対象として説明するが、発光スペクトル変化が起こる試料についても同様の説明が成立する。
本発明は、バンドパスフィルタの一種であるＴＦＩＦを波長選択素子として用い、波長分散素子を用いる方法と同様に、スペクトルの波長変化を考慮にいれた測定ができ、かつバックグラウンドの影響を除外して測定する方法を提供するものである。すなわち、ＴＦＩＦを波長選択素子として用い、被測定光が検出器に到達する光路に対し、ＴＦＩＦがなす角度を調整することにより透過光スペクトル領域を可変にし、吸収スペクトル強度の変化のみならず、吸収スペクトルの波長変化を検出し、波長変化を考慮した吸光度変化やバックグラウンドの影響を補正した吸光度変化を測定することが可能となることを特徴とする。
【００１２】
［ＴＦＩＦ］
本発明において用いられる薄膜干渉フィルタは、薄膜中での透過光と反射光の干渉を利用したもので、一種のファブリペロー干渉計である。その一例の断面図を図１に示す。図１に示すように、薄膜４ｂの両面に半透鏡４ａを蒸着などにより付着して形成される。この構造のＴＦＩＦは、式（1）であらわされる中心波長λ０Ｍの光を通す。
【００１３】
【数１】
2008003045.tif 000003
ここでnは薄膜の屈折率、ｄは薄膜の膜厚、φは薄膜内での屈折角、Ｍは任意の整数であり、通常１の場合を使用する。したがって、屈折角φを制御することにより透過する光の波長を制御することが可能となる。
一般に使用されている干渉フィルタは、高い透過率と狭いスペクトル幅を実現するため誘電体の多層膜が用いられる。米国Newport社から市販されている干渉フィルタの場合は、透過する中心波長λnewportは、式（2）であらわされる。
【００１４】
【数２】
2008003045.tif 000004
ここで、ｎ0は環境の屈折率（空気中では1）、neはフィルタの有効屈折率、θはフィルタへの入射角である。
例えば、θ＝0゜での中心波長460nmの干渉フィルタ（バンド幅10nm）はne＝1.45であり、θ＝45゜のとき透過光の中心波長は401nmに移動する。
【００１５】
［測定装置］
本発明において用いられる測定装置の基本的な構成を図２ないし図７に示す。これらはいずれも吸収スペクトルを測定するためのものである。但し、発光スペクトルを測定する場合には光源を必要としないものの、試料と光検出器との間に薄膜干渉フィルタが介在しているタイプのものであれば、以下に説明する測定装置も発光スペクトル測定用に適宜利用可能である。図２ないし図７において、同一機能を有する部分には同一参照記号を付し、重複する説明は省略する。
図２に示すように、光源２より出射された光は、試料２を透過した後、結像光学系３で薄膜干渉フィルタ４の背後に設置された光検出器５に結像され、検出される。光検出器５の出力信号はデータ処理装置６に入力され、ここでデータ処理される。光源１には、タングステンランプなどの広いスペクトルを有するものが用いられる。試料２は、光透過性で平板状のキャリア２ａ上に試薬２ｂを付着したものである。図では試薬２ｂは１個のみが示されているが通常は複数種の試薬が例えばマトリックス状に配置されている。試料２は、キャリア２ａの主面に平行に紙面垂直方向および紙面上下方向に移動できる態様にて図示省略した試料ホルダーに支持されている。試料２は、データ処理装置６からの指示を受ける試料移動機構７により試料ホルダーに支持されつつ平行移動される。試料２は、データ処理装置６に格納されたプログラムに従い自動的に移動されるがデータ処理装置６に位置情報をマニュアルで入力することにより任意の位置に移動させることもできる。薄膜干渉フィルタ４は、その透過中心波長を制御するためにデータ処理装置６からの指示を受けるフィルタ回転機構８により回転制御される。薄膜干渉フィルタ４は、光検出器５の出力に従ってデータ処理装置６により回転制御されるが、データ処理装置６に角度情報をマニュアルで入力することにより任意の傾き角に回転制御することもできる。光検出器５は、迷光の光検出器への入射を防止するため薄膜干渉フィルタ４に密着して設置されている。光検出器５には、光電子増倍管あるいはＣＣＤ、フォトダイオードなどの半導体センサが用いられる。光検出器５がポイントセンサであるとき、試料２を２次元に移動させることにより、試料２の全体の情報を得ることができる。光検出器５が、例えば紙面垂直方向のリニアセンサであるとき、試料２を紙面上下方向に移動させることにより、試料２の全体の情報を得ることができる。また、光検出器が二次元光検出器の場合試料像を二次元検出器の上に結像することにより試料２の全体の情報を得ることが出来る。データ処理装置６は、光検出器５の出力を収集し、演算を加える。測定が自動的に行われるとき、データ処理装置６は、フィルタ回転機構８に対して、あるいは試料移動機構７およびフィルタ回転機構８に対して指令を発して、薄膜干渉フィルタ４の回転角制御や試料２の位置制御を行なう。データ処理装置６としては、市販のパーソナルコンピュータを利用することができる。
【００１６】
図２に示した測定装置は、試料の透過光を観測するものであったが、図３には、試料からの反射光を観測する場合が示されている。この場合、光源1が、試料２の前面側に配置されるが、動作は図２に示した透過型の装置の場合と同様である。
図４、図５には、薄膜干渉フィルタ４が光源１と試料２との間に配置される例が示されている。図４の測定装置は透過型であり、図５の測定装置は反射型である。このように、試料２と薄膜干渉フィルタ４との配置位置を交換しても同様に測定を行なうことができる。
【００１７】
図６に示す測定装置においては、傾き角度が少しずつ変化された薄膜干渉フィルタ４１、４２…４ｎが紙面垂直方向に配列されている。これらのフィルタは、半値幅が例えば１０ｎｍの場合、中心波長の間隔は５ｎｍ程度となるようになされている。各薄膜干渉フィルタ４１、４２…４ｎ上には、それぞれ光検出器５１、５２…５ｎが搭載されている。図２〜図５に示した測定装置では、透過中心周波数を調整するために薄膜干渉フィルタ４は回転可能に設置されていたが、図６に示す例では個々の薄膜干渉フィルタの傾き角は固定されており、その内の最適のフィルタが選択されて使用される。薄膜干渉フィルタ４１、４２…４ｎは、データ処理装置６からの指示を受けるフィルタ選択手段８ａにより紙面垂直方向に移動され、適切なフィルタが所定位置に配置されるようになっている。この制御は、光検出器の出力に従ってデータ処理装置６により自動的に行われるが、またデータ処理装置６に位置情報をマニュアルで入力することにより任意のフィルタを所定位置に選択配置することもできる。薄膜干渉フィルタ４１、４２…４ｎの位置を固定して、試料２側を移動させるようにしてもよい。
図６に示す測定装置は、透過型であったが、図７に示すように、反射型の測定装置において、傾き角度の異なる薄膜干渉フィルタ４１、４２…４ｎを設置し、適切なフィルタを選択するようにしてもよい。
【００１８】
［フィルタの周波数調整］
次に、図２に示す測定装置において薄膜干渉フィルタ４の透過中心周波数の調整方法について説明する。フィルタの角度調整をマニュアルで行う場合、フィルタの傾き角度と透過中心周波数との関係は予め調べられてあり、既知である。試料の吸収のピーク波長が例えば波長分散素子を利用する別の分光装置を用いて測定される。そのピーク波長に薄膜干渉フィルタ４の透過中心周波数が合致するようにフィルタ４の角度調整を行う。すなわち、データ処理装置６にフィルタ４の所望の傾き角が入力され、その角度にフィルタ回転機構８により調整される。
【００１９】
次に、薄膜干渉フィルタ４の透過中心周波数を試料の吸収のピーク波長に自動的に一致させる場合の方法について説明する。試料の吸収のピーク波長に薄膜干渉フィルタ４の透過中心周波数が一致するとき、後述される見かけの吸光度ＯＤappが最大となる。したがって、見かけの吸光度ＯＤappが最大となるようにフィルタの角度調整を行えば、試料の吸収のピーク波長に薄膜干渉フィルタ４の透過中心周波数を一致させることができる。
この場合、データ処理装置は、図８に示すアルゴリズムに従い、フィードバック制御を行なう。最初のステップＳ１では、時刻ｔ0において見かけの吸光度ＯＤapp（ｔ0）が検出（算出）され、続くステップＳ２において、薄膜干渉フィルタ４を微小角度θ0回転させる。次のステップＳ３においてｎ＝１に設定し、続くステップＳ４では、見かけの吸光度ＯＤapp（ｔｎ）の検出が行われた後、見かけの吸光度の差分
ΔＯＤapp＝ＯＤapp(ｔｎ）−ＯＤapp(ｔｎ−１）
が正かどうかを判定し（ステップＳ５）、正であれば、前のステップと同じ方向に角度θn（＝θn-1）フィルタを回転させ（ステップＳ６）、正でなければ、前のステップと逆方向に角度θn（＝−θn-1）フィルタを回転させる（ステップＳ７）。その後、ステップＳ８において、今回の見かけの吸光度ＯＤapp(ｔn）が前値ＯＤapp(ｔｎ−１）と置き換えられ、ステップＳ９において、今回の回転角θｎが前回転角θｎ−１と置き換えられる。そして、ステップＳ１０においてｎがインクリメントされた後、ステップＳ４に戻り、同様の過程が繰り返される。回転角度を徐々に小さくするために、ステップＳ６ないしステップＳ７での回転角度θnを例えばθn-1/ｎ(または−θn-1/ｎ）としてもよい。適当な時間経過後、制御は打ち切られる。
このようなアルゴリズムにより、見かけの吸光度ＯＤappが最大となるように、換言すれば試料の吸収のピーク波長に薄膜干渉フィルタ４の透過中心周波数が一致するように、フィルタの角度調整を行うことができる。
【００２０】
次に、図６に示す測定装置における薄膜干渉フィルタ４１、４２…４ｎの選択方法について説明する。フィルタの選択をマニュアルで行う場合、各フィルタと透過中心周波数との関係は予め調べられてあり、既知である。試料の吸収のピーク波長が例えば波長分散素子を利用する別の分光装置を用いて測定される。そのピーク波長に最も近い中心波長を有する薄膜干渉フィルタが選択される。すなわち、データ処理装置６に所望の薄膜干渉フィルタが所定位置に配置される位置データが入力され、そのフィルタがフィルタ選択手段８ａにより所定位置に選択配置される。
また、フィルタの選択は次のように行なうこともできる。すなわち、薄膜干渉フィルタ４１、４２…４ｎを順次入れ換えて測定を行い、測定された光強度〔∫Ｉ(λ)ｄλ〕が最小となるか、または、見かけの吸光度ＯＤappが最大となる薄膜干渉フィルタを選択する。
また、図８に示したフローと同様のアルゴリズムを用いれば、試料の吸収ピーク波長に中心周波数が最も近いフィルタを自動的に選択することができる。
【００２１】
［見かけの吸光度の検出］
吸収スペクトルおよびＴＦＩＦの透過特性を以下の式を用いて近似し、図２〜図７の装置で検出される見かけの吸光度を見積もる。
目的としている物質の吸収スペクトルの形を、Lorentz関数で式（３）のように近似し、ピーク値を１に規格化する。
【００２２】
【数３】
2008003045.tif 000005
ここに
λ；波長（nm）
λ0,A；吸収ピーク波長（nm）
OD(λ)；吸光度（ピーク値を１とする）
ΓA；吸収スペクトルの半値幅
c；物質の濃度
d；試料の光路長
次に、フィルタの透過特性をGauss関数で式（４）のように近似し、ピーク値を１に規格化する。
【００２３】
【数４】
2008003045.tif 000006
ここに
I0(λ)；透過光強度
λ0,F；フィルタの透過光の中心波長（nm）
ΓF；フィルタの透過特性の半値幅
物質による光の吸収はLambert-Beerの法則で表されるとする。物質に吸収されずに透過する光の強度I(λ)は、式（5）となる。
【００２４】
【数５】
2008003045.tif 000007
図２〜図７の装置において得られる、見かけの吸光度ODappは、検出器に入射する光量を用い、次の式（６）で表される。
【００２５】
【数６】
2008003045.tif 000008
【００２６】
［従来例と本発明により得られる特性の比較］
従来例と本発明とにより得られる結果の違いを明らかにするために、次のフィルタを用いてそれぞれ測定を行なう。
従来例において用いられるフィルタ：透過光ピーク波長〜500nm（固定）、ピーク波長での透過率〜1、半値幅〜50nmのＢＰＦ
本発明において用いられるフィルタ：透過光ピーク波長はフィルタの傾き角に依存して式（２）で表され、それぞれのピーク波長での透過率は1に規格化された、半値幅〜10nmのＴＦＩＦ
また、試料の反応前の吸収スペクトルは、下記（ｃ）（ロ）の場合を除き、吸収ピーク波長〜500nm、半値幅〜10nmとする。
【００２７】
（ａ）吸収スペクトルの形および位置は変化せず、吸光度のみが減少する場合（図９、図１０）
試料の吸光度が、OD(λ0=500nm)=1(反応前)  →   OD(λ0=500nm)=0.9(反応後)と変化したものとすると、ＢＰＦを用いた場合のフィルタの透過光強度Ｉ0および反応前後の試料透過光強度Ｉは、図９に示すようになり、これによりODapp(before)とODapp (after)が求められ、ΔODappと変化率ΔODapp / ODapp(before)が下記のように算出される。
【００２８】
【数７】
2008003045.tif 000009
【００２９】
【数８】
2008003045.tif 000010
一方、上記のＴＦＩＦを用いた場合のフィルタの透過光強度Ｉ0および反応前後の試料透過光強度Ｉは、図１０に示すようになり、これによりODapp(before)とODapp (after)が求められ、ΔODappと変化率ΔODapp / ODapp(before)が下記のように算出される。
【００３０】
【数９】
2008003045.tif 000011
【００３１】
【数１０】
2008003045.tif 000012
ＴＦＩＦを用いることにより、変化量ΔODapp/ODappは、0.09と0.1（1-0.9）に近い値となっており、また検出感度は、ΔODapp(ＴＦＩＦ) /ΔODapp(ＢＰＦ)=0.058/0.013=4.5と高くなっている。
【００３２】
（ｂ）反応によりバックグラウンドが変化した場合（図１１、図１２）
波長依存性がないバックグラウンドが吸光度に換算して0.1増加し、吸光度は1のまま変化しないとする。上記のＢＰＦとＴＦＩＦを用いた場合の反応後の試料透過光強度Ｉは、それぞれ図１１において実線と点線で示すようになり、それぞれの場合の誤差ΔODapp/ ODappは下記のように求められる。
（ＢＰＦの場合）
【００３３】
【数１１】
2008003045.tif 000013
（ＴＦＩＦの場合）
【００３４】
【数１２】
2008003045.tif 000014
すなわち、反応によりBack Groundが変化（吸光度で0.1増加）すると、誤差はＢＰＦでは56％、ＴＦＩＦでは15％となる。
【００３５】
次に、図１２に示すように、ＴＦＩＦの角度を調整し中心波長を吸光度が十分低くなる530nmとして吸光度を測定、そこで得られたＩ0、Ｉより求められたＯＤapp（＝0.1285）を近似的にBase Line（試料の吸光度が０）とする。これにより補正を行うと、
【００３６】
【数１３】
2008003045.tif 000015
となる。すなわち、反応によりバックグラウンドが変化（吸光度で0.1増加）しても、ＴＦＩＦを用いベースライン補正を行うと4.5％の誤差に収まる。
【００３７】
（ｃ）吸収スペクトルの形は変わらず、ピークは赤方移動、吸光度が減少する場合（図１３〜図１６）
（イ）反応前の吸収極大が、ＢＰＦの透過極大と一致しており、反応後の吸収極大（λ0）の波長が500nm→510nmと遷移し、吸光度OD(λ0)が  1→0.9と変化した場合の特性を図１３に示す。
ΔＯＤapp＝0.1795−0.1498＝0.0297
が得られ、変化量が次のように求められる。
【００３８】
【数１４】
2008003045.tif 000016
（ロ）反応後の吸収極大（λ0）の波長が490nm→500nmと遷移し、吸光度OD(λ0)が  1→0.9と変化し、反応後の吸収極大が、ＢＰＦの透過極大と一致する場合の特性を図１４に示す。
ΔＯＤapp＝0.1617−0.1663＝−0.046
が得られ、この場合の変化量が次のように求められる。
【００３９】
【数１５】
2008003045.tif 000017
この場合のように、従来の測定方法では被測定物質の吸収極大とフィルタの透過特性の組み合わせにより、誤った結果を与えることがある。
（ハ）反応後の吸収極大（λ0）の波長が500nm→510nmと遷移し、吸光度OD(λ0)が  1→0.9と変化し、ＴＦＩＦの角度を変えず（透過ピーク波長；500nmに固定）に測定した場合の特性を図１５に示す。
ΔＯＤapp＝0.6404−0.2099＝0.4305
が得られ、この場合の変化量が次のように求められる。
【００４０】
【数１６】
2008003045.tif 000018
この場合、得られた値は期待値（0.1）から大きくずれている。
（ニ）反応後の吸収極大（λ0）の波長が500nm→510nmと遷移し、吸光度OD(λ0)が  1→0.9と変化し、ＴＦＩＦの角度を透過ピーク波長に調整して測定した場合の特性を図１６に示す。
ΔＯＤapp＝0.6404−0.5828＝0.0576
が得られ、この場合の変化量が次のように求められる。
【００４１】
【数１７】
2008003045.tif 000019
得られた値は0.1に近く、本発明により高い精度の測定が可能であることが分かる。
【図面の簡単な説明】
【００４２】
【図１】本発明の測定装置に用いられる薄膜干渉フィルタ（ＴＦＩＦ）の断面図。
【図２】本発明の第１の実施の形態の測定装置の概略図。
【図３】本発明の第２の実施の形態の測定装置の概略図。
【図４】本発明の第３の実施の形態の測定装置の概略図。
【図５】本発明の第４の実施の形態の測定装置の概略図。
【図６】本発明の第５の実施の形態の測定装置の概略図。
【図７】本発明の第６の実施の形態の測定装置の概略図。
【図８】本発明の第１の実施の形態の測定装置において自動的にフィルタの角度を調整する場合のアルゴリズムを示す流れ図。
【図９】反応により吸光度が減少した場合の中心周波数固定のＢＰＦを用いて測定した特性曲線図。
【図１０】反応により吸光度が減少した場合のＴＦＩＦを用いて測定した特性曲線図。
【図１１】反応によりバックグラウンドが増加した場合のＢＰＦおよびＴＦＩＦを用いて測定した特性曲線図。
【図１２】反応によりバックグラウンドが増加した場合の本発明の補正方法を説明するための特性曲線図。
【図１３】反応により吸収ピークが赤方に移動した場合の、中心周波数が固定したＢＰＦを用いて測定した特性曲線図（その１）。
【図１４】反応により吸収ピークが赤方に移動した場合の、中心周波数が固定したＢＰＦを用いて測定した特性曲線図（その２）。
【図１５】反応により吸収ピークが赤方に移動した場合の周波数調整を行うことなくＴＦＩＦを用いて測定した特性曲線図。
【図１６】反応により吸収ピークが赤方に移動した場合の、ＴＦＩＦの中心波長を試料の吸収ピークに合わせて測定した特性曲線図。
【図１７】従来の測定装置の概略図。
【図１８】従来の測定装置用いられたカラーフィルタの特性図。
【符号の説明】
【００４３】
１  光源
２  試料
２ａ  キャリア
２ｂ  試薬
３  結像光学系
４、４１、４２〜４ｎ  薄膜干渉フィルタ（ＴＦＩＦ）
４ａ  半透鏡
４ｂ  薄膜
５  光検出器
６  データ処理装置
７  試料移動機構
８  フィルタ回転機構
８ａ  フィルタ選択手段
１０  蒸気暴露装置
１１  センサプレート
１２  金属ポルフィリン
１３  透明窓
１４  反応セル
１５  スキャナ
１６  溶液
１７  バブラー
１８、１９、２０  給気管
２１  排気管
【図１】
2008003045.tif 000020
【図２】
2008003045.tif 000021
【図３】
2008003045.tif 000022
【図４】
2008003045.tif 000023
【図５】
2008003045.tif 000024
【図６】
2008003045.tif 000025
【図７】
2008003045.tif 000026
【図８】
2008003045.tif 000027
【図９】
2008003045.tif 000028
【図１０】
2008003045.tif 000029
【図１１】
2008003045.tif 000030
【図１２】
2008003045.tif 000031
【図１３】
2008003045.tif 000032
【図１４】
2008003045.tif 000033
【図１５】
2008003045.tif 000034
【図１６】
2008003045.tif 000035
【図１７】
2008003045.tif 000036
【図１８】
2008003045.tif 000037
【手続補正書】
【提出日】平成18年7月3日(2006.7.3)
【手続補正２】
【補正対象書類名】明細書
【補正対象項目名】００２２
【補正方法】変更
【補正の内容】
【００２２】
【数３】
2008003045.tif 000038
ここに
λ；波長（nm）
λ0,A；吸収ピーク波長（nm）
OD(λ)；吸光度（ピーク値を１とする）
ΓA；吸収スペクトルの半値幅
c；物質の濃度
d；試料の光路長
次に、フィルタの透過特性をGauss関数で式（４）のように近似し、ピーク値を１に規格化する。